(57)【要約】【課題】間仕切り装置のフレームに、パネルを、簡単な操作で容易に取付けうるようにする。【解決手段】パネル保持部材５４が、支柱(縦フレーム)のパネル保持溝４７に嵌合され、後縁部に、パネル５の周縁部の後面に当接する保持片５５bを有し、かつ前縁部側に向かって開口する係合溝５８を有する保持部本体５５と、パネル５の前面に当接する保持片５６aを有するとともに、この保持片５６aの先端部を支点とするパネル保持溝４７方向への回動操作により、係合溝５８に係合する係合片５６bを有する差込み部材５６とからなり、両保持片５５b、５６aの対向面により、パネル５の周縁部の前後両面を挟んで保持する。【選択図】  図７
2009052239.tif 000002
【特許請求の範囲】
【請求項１】
間仕切り装置における上下の横フレームの対向面に設けた左右方向を向くパネル保持溝と、左右の縦フレームの対向面に設けた上下方向を向くパネル保持溝とに、パネルの周縁部を、パネル保持部材を介して取付けてなる間仕切り装置におけるパネルの取付構造において、
前記各横フレーム及び縦フレームのパネル保持溝に嵌合されるパネル保持部材の少なくとも一つが、前記パネル保持溝の開口部側の前後いずれか一方の縁部に、前記パネルの周縁部の前後いずれか一方の面に当接する長手方向を向く保持片を有し、かつパネル保持溝の開口部付近において、前後いずれか他方の縁部側に向かって開口する長手方向を向く係合溝を有する保持部本体と、前記パネルの周縁部の他方の面に当接する長手方向を向く保持片を有するとともに、この保持片の先端部を支点とするパネル保持溝方向への回動操作により、前記係合溝に係合する係合片を有する差込み部材とからなり、前記保持部本体の保持片と差込み部材の保持片との対向面により、前記パネルの周縁部の前後両面を、挟んで保持したことを特徴とする間仕切り装置におけるパネルの取付構造。
【請求項２】
保持部本体は、パネル保持溝内に嵌合される基部を備え、この基部の前後いずれか一方の縁部より保持片をパネル方向に延出させ、かつ保持片の中間部に、前記基部の他方の縁部側に延出する弾性係止片を連設することにより、この弾性係止片と前記基部との対向面間を係合溝としてなる請求項１記載の間仕切り装置におけるパネルの取付構造。
【請求項３】
係合片の抜け止め手段を設けてなる請求項１または２記載の間仕切り装置におけるパネルの取付構造。
【請求項４】
抜け止め手段を、弾性係止片に、係合溝内に突出するように設けた係止凸条と、差込み部材の係合片の先端部に設けた前記係止凸状に係合する被係止凸条とからなるものとした請求項３記載の間仕切り装置におけるパネルの取付構造。
【請求項５】
抜け止め手段を、差込み部材における係合片の基部に設けられ、パネル保持溝の開口縁部に係止しうる凹入段部としてなる請求項３または４記載の間仕切り装置におけるパネルの取付構造。
【請求項６】
保持部本体と差込み部材とを硬質合成樹脂により形成し、それらの保持片におけるパネルとの当接面に、弾性を有する軟質合成樹脂よりなるパネル押さえを、一体的に設けてなる請求項１〜４のいずれかに記載の間仕切り装置におけるパネルの取付構造。
【発明の詳細な説明】
【技術分野】
【０００１】
本発明は、オフィス等の室内空間を仕切る間仕切り装置に係わり、特に、それに使用されるパネルの取付構造に関する。
【背景技術】
【０００２】
従来のパネルの取付構造としては、例えば特許文献１及び２に記載されているように、間仕切り装置の横桟または壁体に設けたパネル保持溝に、ガスケットを介してパネルの端部を嵌め込んで取付けたものや、特許文献３に記載されているように、パネルの両端部を、別体とした２個の保持部材により挟持し、かつ一方の保持部材を固定部材にねじ止めして取付けたものなどがある。
【特許文献１】特開２００３−１０５９０８号公報
【特許文献２】特開２００６−１６１４１７号公報
【特許文献３】特開２００７−１６５２７号公報
【発明の開示】
【発明が解決しようとする課題】
【０００３】
上記特許文献１及び２に記載されているパネルの取付構造においては、パネル保持溝に嵌合したパネルの両端部を、パネル保持溝に直接嵌め込んだ弾性変形可能なガスケットにより保持しているので、パネル保持溝に、ガスケットを強く押し込む必要があり、その作業が面倒である。
また、パネル保持溝等に寸法誤差があると、ガスケットの一部がパネル保持溝よりはみ出したり、隙間が形成されたりし、見栄えが悪くなる。
【０００４】
特許文献３に記載のものにおいては、保持部材の一方を、固定部材にねじ止めしているので、パネルの取付けに手間がかかり、かつ部品点数も増えるので、コスト高となる。
【０００５】
本発明は、上記問題点に鑑みてなされたもので、間仕切り装置のフレームに、パネルを、簡単な操作で容易に取付けうるようにした、間仕切り装置におけるパネルの取付構造を提供することを目的としている。
【課題を解決するための手段】
【０００６】
本発明によると、上記課題は、次のようにして解決される。
（１）間仕切り装置における上下の横フレームの対向面に設けた左右方向を向くパネル保持溝と、左右の縦フレームの対向面に設けた上下方向を向くパネル保持溝とに、パネルの周縁部を、パネル保持部材を介して取付けてなる間仕切り装置におけるパネルの取付構造において、前記各横フレーム及び縦フレームのパネル保持溝に嵌合されるパネル保持部材の少なくとも一つが、前記パネル保持溝の開口部側の前後いずれか一方の縁部に、前記パネルの周縁部の前後いずれか一方の面に当接する長手方向を向く保持片を有し、かつパネル保持溝の開口部付近において、前後いずれか他方の縁部側に向かって開口する長手方向を向く係合溝を有する保持部本体と、前記パネルの周縁部の他方の面に当接する長手方向を向く保持片を有するとともに、この保持片の先端部を支点とするパネル保持溝方向への回動操作により、前記係合溝に係合する係合片を有する差込み部材とからなり、前記保持部本体の保持片と差込み部材の保持片との対向面により、前記パネルの周縁部の前後両面を、挟んで保持する。
【０００７】
（２）上記(１)項において、保持部本体は、パネル保持溝内に嵌合される基部を備え、この基部の前後いずれか一方の縁部より保持片をパネル方向に延出させ、かつ保持片の中間部に、前記基部の他方の縁部側に延出する弾性係止片を連設することにより、この弾性係止片と前記基部との対向面間を係合溝とする。
【０００８】
（３）上記(１)または(２)項において、係合片の抜け止め手段を設ける。
【０００９】
（４）上記(３)項において、抜け止め手段を、弾性係止片に、係合溝内に突出するように設けた係止凸条と、差込み部材の係合片の先端部に設けた前記係止凸状に係合する被係止凸条とからなるものとする。
【００１０】
（５）上記(３)または(４)項において、抜け止め手段を、差込み部材における係合片の基部に設けられ、パネル保持溝の開口縁部に係止しうる凹入段部とする。
【００１１】
（６）上記(１)〜(５)項のいずれかにおいて、保持部本体と差込み部材とを硬質合成樹脂により形成し、それらの保持片におけるパネルとの当接面に、弾性を有する軟質合成樹脂よりなるパネル押さえを、一体的に設ける。
【発明の効果】
【００１２】
請求項１記載の発明によれば、パネル周縁部の前後いずれか一方の面を、パネル保持部材における保持部本体の保持片に当接させた後、差込み部材の保持片の先端部を、パネル周縁部の他方の面に当接させつつ、差込み部材全体を保持部本体側に回動操作するだけで、差込み部材の係合片が保持部本体の係合溝と係合し、パネルの前後両面が、保持部本体と差込み部材との保持片により保持されるので、フレームへのパネルの取付けを容易に、かつ短時間で行うことができる。
【００１３】
請求項２記載の発明によれば、係合片が係合溝に入り込む際、弾性係止片が弾性変形して係合溝が拡開されるので、係合片が嵌合し易くなり、差込み部材を軽い力で回動操作することができる。
【００１４】
請求項３記載の発明によれば、係合溝より係合片が離脱するのが防止される。
【００１５】
請求項４記載の発明によれば、係合片を係合溝に押し込むだけで、弾性係止片の係止凸条に、係合片の被係止凸条が自動的に係合し、係合溝より係合片が離脱するのが確実に防止される。
【００１６】
請求項５記載の発明によれば、係合片が係合溝より抜け出ようとしたとき、係合片に設けた凹入段部がパネル保持溝の開口縁部に当接するので、係合片が係合溝より離脱するのが防止される。
また、請求項４の抜け止め手段と併用することにより、係合片の離脱防止効果が一層高まる。
【００１７】
請求項６記載の発明によれば、パネル保持部材を軽量化しつつ、パネルの保持強度をを大としうるとともに、軟質のパネル押さえがパネルの前後両面に当接して、前後方向の荷重に対し緩衝作用を有するようになるので、パネルがガラス等であっても、これが破損する恐れが小さくなる。
【発明を実施するための最良の形態】
【００１８】
以下、本発明の実施形態を、図面に基づいて説明する。
図１は、本発明の一実施形態を適用した自立型の間仕切り装置の一部の正面図である。
この間仕切り装置Ｐは、縦フレームを兼ねる左右複数の支柱１、１と、互いに隣接する支柱１、１の下端部の対向面同士を連結している下部横フレーム２と、同じく両支柱１、１の中間部の対向面同士を連結している中間横フレーム３と、両支柱１、１の上端部の対向面同士を連結している上部横フレーム４とを備え、左右の支柱１、１と下部横フレーム２と中間横フレーム３とにより囲まれた下部の方形枠内には、例えば前後両面が化粧鋼板により覆われたボード系のパネル５が、また、左右の支柱１、１と中間横フレーム３と上部横フレーム４とにより囲まれた上部の方形枠内には、ガラスパネル６が嵌め込まれている。
【００１９】
下部横フレーム２の左右両端部には、間仕切り装置Ｐ全体の上下位置を調整するためのレベル調整装置７、７が設けられている。
各レベル調整装置７は、図２の拡大断面図に示すように、床面Ｆにアンカーボルト８により固定された側面視上向コ字状断面をなすベース部材９内に嵌合された側面視下向コ字状断面の支持金具１０と、支持金具１０の上面中央部に穿設された通孔１１に嵌合され、上端の鍔部１２a が支持金具１０の上面に溶接された雌ねじ筒１２と、この雌ねじ筒１２に上方より螺合された皿ねじよりなる調整ねじ１３とからなっている。
【００２０】
下部横フレーム２は、  側面視ほぼＨ状断面をなし、その左右方向を向く水平片１４の下方に形成された、左右両側方と下方が開口する凹部１５内には、上記ベース部材９とレベル調整装置７とが収容され、前記水平片１４は、調整ねじ１３の拡径頭部１３aの上面により支持されている。
【００２１】
水平片１４における調整ねじ１３と対向する個所には、その拡径頭部１３aよりも小さな径の通孔１６が穿設され、この通孔１６に上方より挿入したドライバ等の工具をもって、調整ねじ１３を回転させることにより、下部横フレーム２のレベルを調整しうるようになっている。
【００２２】
前記水平片１４の直下において、凹部１５の内面には、左右方向を向く前後１対の突片１７、１７が対向して突設され、各突片１７と水平片１４との間の隙間１８、１８内に、調整ねじ１３の拡径頭部１３aの外周部が遊嵌されている。すなわち、支柱１に下部横フレーム２を固定する前において、下部横フレーム２の側端から、調整ねじ１３の拡径頭部１３aを隙間１８に挿入し、レベル調整装置７を下部横フレーム２の凹部１５内に組み付けたのち、下部横フレーム２とレベル調整装置７とを、ベース部材９に上方より嵌合してある。
【００２３】
上記のように、レベル調整装置７全体が、下部横フレーム２の凹部１５内とベース部材９の内部に収容されているので、それをパネル等により目隠しする必要はない。
また、パネル５を、下部横フレーム２の上面の前後方向の中央に、支障なく配置することができる。
さらに、調整ねじ１３の拡径頭部１３aを隙間１８に側端から嵌合するだけで、レベル調整装置７全体を、下部横フレーム２の凹部１５内に予め装着しておくことができる。
【００２４】
下部横フレーム２の上面の前後方向の中央部、すなわち、水平片１４の上方には、左右両側方と上方に開口するパネル保持溝１９が、左右方向に全長に亘って形成され、このパネル保持溝１９には、側面視上向コ字状断面をなす合成樹脂製のパネル下部保持部材２０が嵌合されている。パネル下部保持部材２０は、その前後の上向片２０a、２０aの外面に突設した左右方向を向く凸条２１、２１を、パネル保持溝１９の対向面に形成された横方向を向く凹条２２、２２に、側端よりスライドさせて嵌合することにより、上方への抜け止めがなされている。
【００２５】
パネル下部保持部材２０の凹部内に、パネル５の下端部を落とし込むことにより、パネル５の下端部は、下部横フレーム２の上端部により保持される。なお、パネル５の厚さは、パネル下部保持部材２０内に容易に遊嵌しうるように定められ、両上向片２０aの上端に一体成形された弾性を有する軟質合成樹脂よりなる内向きのパネル押さえ２０b、２０bの先端を、パネル５の前後の面に当接させることにより、パネル５の前後方向のがたつきが防止されている。
【００２６】
図３は、中間横フレーム３に対するパネル５の上端部と、ガラスパネル６の下端部との取付構造を示す。
中間横フレーム３は、下部横フレーム２と同形状をなし、その前後の突片１７よりも下方の凹部１５内には、合成樹脂よりなる側面視下向きコ字状のパネル上部保持部材２３が、その前後の下向片２３a、２３aの下部外面に突設された左右方向を向く凸条２４、２４を、凹部１５の対向面に形成された凹条２５、２５に、側端より嵌合することにより、下方に抜け止めされて嵌合されている。両下向片２３aの下端には、上記と同様、パネル５の前後両面に当接する軟質合成樹脂製のパネル押さえ２３b、２３bが一体成形されている。
【００２７】
パネル上部保持部材２３の凹部内に、パネル５の上端部を嵌合し、その前後の面にパネル押さえ２３bの先端を当接させることにより、パネル５の上端部は、中間横フレーム３の下端部により保持されている。なお、パネル５の上下寸法は、パネル下部保持部材２０とパネル上部保持部材２３とにおける凹部間の対向寸法よりもやや短寸とされ、パネル５を傾斜させた状態で、まずその上端部をパネル上部保持部材２３の凹部内に深く挿入し、ついで、下端部をパネル下部保持部材２０の凹部内に落とし込むことにより、パネル５の上下の端部を下部横フレーム２と中間横フレーム３とにより保持することができるようにしてある。
【００２８】
中間横フレーム３の上部のパネル保持溝１９には、ガラスパネル６の下端部を保持するためのパネル下部保持部材２６が、左右方向の全長に亘って嵌合されている。
パネル下部保持部材２６は、パネル保持溝１９に嵌合された、その深さとほぼ等しい上下寸法の硬質合成樹脂よりなる保持部本体２７と、弾性変形可能な合成樹脂よりなる差込み部材２８とからなり、保持部本体２７は、パネル保持溝１９の底面に当接する前後方向を向く基片２７aと、その前端より起立する起立片２７bと、起立片２７bの上端より、凹溝１９の中央部に向かって直角に延出する後向保持片２７cとを備えている。
【００２９】
後向保持片２７cの先端(後端)には、保持部本体２７aよりも軟質で、かつ若干弾性を有する合成樹脂材(エラストマーを含む)よりなるパネル押さえ２９が一体成形されている。
基片２７aの後端部には、差込み部材２８が係合可能な、上方に向かって漸次拡開する凹状断面の差込み溝３０が、左右方向に全長に亘って形成されている。
【００３０】
差込み部材２８は、下面のやや後方寄りに左右方向を向くスリット孔３１を設けた中空角筒状断面の保持部２８aと、スリット孔３１の前後の開口部より垂下する、上記差込み溝３０の深さよりも若干短寸の前後１対の係合足片２８b、２８bとを備えている。両係合足片２８bの外面と、差込み溝３０の内部の対向面とには、互いに係合可能な鋸歯状断面をなす係合部３２が形成されている。
【００３１】
保持部２８aの前面上部には、上記パネル押さえ２９と同様のパネル押さえ２９が、差込み部材２８と一体成形されている。
保持部本体２７の凹部内に、ガラスパネル６の下端部を挿入し、基片２７aにより受支した後、保持部本体２７の差込み溝３０に、差込み部材２８の両係合足片２８bを押し込み、係合部３２同士を互いに係合させると、前後のパネル押さえ２９、２９の対向面が、ガラスパネル６の前後の面に圧接することにより、ガラスパネル６の下端部が、中間横フレーム３の上部により保持される。
【００３２】
図４に示すように、上述した上部横フレーム４は、前後方向の中央部の、側面視下向きコ字状断面をなすパネル保持部３３と、その前後の下向片３３a、３３aの下端に連設された前向水平片３３b及び後向水平片３３cと、それらの遊端に連設された短寸の起立片３３d、３３dとからなり、アルミニウム合金等を押し出し成形して一体的に形成されている。なお、上部横フレーム４の前後寸法は、支柱１の前後寸法よりも若干大とされている。
【００３３】
図５に示すように、左右方向に並ぶ各支柱１同士は、それらの上端にねじ３４、３４により固定された、前後寸法が支柱１のそれとほぼ等しい扁平角管状の連結部材３５により互いに連結されており、この連結部材３５の上面中央には、これと上部横フレーム４が収容可能な側面視下向きコ字状断面のフレームカバー３６が、複数の皿ねじ３７により固定されている。
【００３４】
フレームカバー３６における前後の下向片３６a、３６aの下端の対向面と、若干上方の対向面とには、それぞれ左右方向を向く円弧状断面の係止凸条３８、３８と、角形断面の係止凸条３９、３９とが、内向きに突設されている。
【００３５】
図４に示すように、上部横フレーム４における前向水平片３３b及び後向水平片３３cと、起立片３３dとの連設角部には、上記下部の係止凸条３８、３８と補形をなす係合凹条４０、４０が形成されている。
左右に隣接する支柱１間において、上部横フレーム４の前後の係合凹条４０を、フレームカバー３６の両係止凸条３８に係合させるとともに、前後の起立片３３dを、上下の係止凸条３８、３９との間に形成された凹部４１内に係合することにより、上部横フレーム４は、フレームカバー３６の下半部内に、一体的に止着されている。この止着作業は、フレームカバー３６の下向片３６aを外方に弾性変形させることにより、下方から行うことができる。
【００３６】
上部横フレーム４をフレームカバー３６に止着した際、パネル保持部３３の上片３３eの上面が連結部材３５の下面と当接するようになっており、図４に示すように、パネル保持部３３の上片３３eに下方より挿入した左右複数の皿ねじ４２を、連結部材３５の前後方向の中央部に螺合することにより、上部横フレーム４は、連結部材３５の下面に、フレームカバー３６の下端と同一面をなすとともに、支柱１の上端と整合するようにして固着されている。
【００３７】
図４に示すように、上部横フレーム４におけるパネル保持部３３内に形成された、下方と左右両方向に開口するパネル保持溝４３には、その深さとほぼ等しい上下寸法の、側面視概ね下向きコ字状断面をなす硬質合成樹脂製の保持部本体４４と、上記差込み部材２８と同形で上下対称をなす差込み部材２８とからなるパネル上部保持部材４５が圧嵌されている。
【００３８】
保持部本体４４における前部下端の後向片４４aの後端と、差込み部材２８における保持部２８aの前面下部とには、上記と同様、軟質のパネル押さえ２９、２９が一体的に成形されている。
保持部本体４４の後部の垂下片４４bの下端部には、差込み部材２８の両係合足片２８bが嵌合可能な、下方に向かって漸次拡開する上向き凹状の差込み溝４６が形成されている。差込み溝４６の対向面と、両係合足片２８bの外面とには、上記と同様の鋸歯状断面の係合部３２が形成されている。
【００３９】
保持部本体４４の凹部内に、上下寸法を、上下に対向するパネル上部保持部材４５とパネル下部保持部材２６の凹部内の対向寸法より短寸としたガラスパネル６の上端部を、傾斜させた状態で挿入し、パネル下部保持部材２６によりガラスパネル６の下端部を保持した後、保持部本体４４の差込み溝４６に、差込み部材２８の両係合足片２８bを嵌合して係合させることにより、ガラスパネル６の上端部は、連結部材３５及びフレームカバー３６と実質的に一体をなす上部横フレーム４により保持されている(図４参照)。
【００４０】
図６の拡大横断面図に示すように、ガラスパネル６の左右両端部は(左右対称で同一構造につき、一方のみ図示する)、左右の支柱１、１における前後方向の中央部の対向面に設けられた上下方向を向くパネル保持溝４７に嵌合されたパネル側部保持部材４８により、次のようにして保持されている。
【００４１】
パネル側部保持部材４８は、硬質合成樹脂製の保持部本体４９と、その左右寸法よりも若干短寸とされた弾性変形可能な合成樹脂よりなる差込み部材５０とからなり、保持部本体４９は、パネル保持溝４７に嵌合された平面視外向きコ字状断面の基部４９aと、その後部の嵌合片４９bの内側端より、左右方向内向きに延出する保持片４９cと、保持片４９cの内端に連設された短寸の前向片４９dとを備え、前向片４９dの前端面には、上記と同様のパネル押さえ２９が一体的に連設されている。
【００４２】
基部４９aにおける前部の嵌合片４９eには、内側方に向かって漸次拡開する上下方向の差込み溝５１が形成されている。
【００４３】
差込み部材５０は、左右方向を向くとともに、外側端にスリット孔５２を有する中空状の係合部５０aと、スリット孔５２の開口縁部より外側方に向かって延出する、左右寸法が上記差込み溝５１の深さよりも短寸の前後１対の係合足片５０b、５０bと、係合部５０aの内端に連設された短寸の後向片５０cとを備え、後向片５０cの後端面には、上記と同様のパネル押さえ２９が連設されている。
差込み溝５１の対向面と両係合足片５０bの外面とには、互いに補形をなす鋸歯状断面の係合部５３、５３が形成されている。
【００４４】
ガラスパネル６を左右のパネル側部保持部材４８により保持するには、まず、左右の支柱１の対向面間の寸法よりも左右寸法を若干短寸としたガラスパネル６の左右両端部の後面を、左右の保持部本体４９におけるパネル押さえ２９の前面に当接させる。
【００４５】
ついで、保持部本体４９の差込み溝５１に、差込み部材５０の両係合足片５０bを、差込み部材５０の内側面が保持部本体４９の内側面と整合する位置まで嵌合し、それらの係合部５３同士を互いに係合させる。
【００４６】
これにより、差込み部材５０のパネル押さえ２９の後面がガラスパネル６の前面に圧接し、ガラスパネル６の左右両端部が、左右のパネル側部保持部材４８、４８により安定して保持される。
【００４７】
図７は、上述した下部のパネル５の左右両端部の取付構造を示す。
なお、パネル５の左右両端部の取付構造は、左右対称で同一構造であるため、一方のみを図示する。
支柱１の対向面のパネル保持溝４７には、上記パネル側部保持部材４８と形状の異なるパネル側部保持部材５４が嵌合されている。
【００４８】
パネル側部保持部材５４は、硬質合成樹脂製の保持部本体５５と差込み部材５６とからなり、保持部本体５５は、パネル保持溝４７に嵌合された平面視外向きコ字状断面の上下方向を向く基部５５aと、その後端部の内側縁部より内向きに延出する保持片５５bと、保持片５５bの左右方向の中間部前面に前向きに連設され、前後寸法が基部５５aのそれよりも若干短寸をなす弾性係止片５５cとを備えている。保持片５５bの先端部の前面には、パネル５の側端部後面に当接可能な若干弾性を有する軟質合成樹脂(エラストマーも含む)よりなるパネル押さえ５７が、一体的に形成されている。
【００４９】
基部５５aの側片５５dと弾性係止片５５cとの対向面間には、前方すなわち基部５５aの前方の縁部に向かって開口する係合溝５８が形成されている。
弾性係止片５５cの前端部には、係合溝５８側に若干突出する係止凸条５９が形成され、係合溝５８の前端開口部の左右寸法は、その奥部よりも若干小となっている
【００５０】
差込み部材５６は、パネル５の側端部前面を保持可能な左右方向内向きの保持片５６aと、上記係合溝５８に係合可能な後方を向く係合片５６bとからなる平面視Ｌ字状断面をなし、かつ全長は、保持部本体５５の上下寸法と等しい寸法に形成されている。
【００５１】
保持片５６aの先端部の後面には、パネル５の前面に当接可能な、上記と同様のパネル押さえ５７が一体的に形成されている。
係合片５６bの後端部には、弾性係止片５５cの係止凸条５９の後端と係合可能な被係止凸条６０が突設されている。
係合片５６bの前端基部、すなわち保持片５６aと係合片５６bとの連設隅部の外面には、後向きに凹入する凹入段部６１が形成され、この凹入段部６１は、支柱１におけるパネル保持溝４７の前部側の開口縁部６２に係止しうるようになっている。
【００５２】
パネル５を左右のパネル側部保持部材５４により保持するには、まずパネル５の左右両端部の後面を、左右の保持部本体５５におけるパネル押さえ５７の前面に当接させる。
【００５３】
ついで、図７の２点鎖線で示すように、差込み部材５６における保持片５６aのパネル押さえ５７を、パネル５の側端部の前面に当接させたのち、保持片５６aの先端部を支点として、差込み部材５６全体を後向きに回動させ、係合片５６bを保持部本体５５の係合溝５８に押し込んで嵌合させる。
【００５４】
すると、係合片５６bの被係止凸条６０が、弾性係止片５５cの係止凸条５９の奥端と係合して、係合片５６bが係合溝５８より離脱するのが防止され、パネル５の側端部がパネル側部保持部材５４により保持される。差込み部材５６を装着すると、係合片５６bの前端基部に設けた凹入段部６１が、支柱１におけるパネル保持溝４７の前部の開口縁部６２と近接するので、係合片５６bが係合溝５８より離脱するのが確実に防止される。
【００５５】
このようなパネル側部保持部材５４を用いると、パネル５の両側端部を、その両側の縦フレームを兼ねる左右の支柱１の対向面に、極めて容易に取付けることができる。
【００５６】
上記実施形態では、パネル５の左右両端部を、パネル側部保持部材５４を用いて取り付けているが、上下両端部の取付けにも、パネル側部保持部材５４を使用することができる。
【００５７】
また、ガラスパネル６の左右及び上下両端部についても、上記と同様のパネル側部保持部材５４を用いて取付けることができる。この際には、ガラスパネル６の板厚に対応して、保持部本体５５と差込み部材５６の形状を変更すればよい。
【００５８】
パネル５またはガラスパネル６の一辺のみを、パネル側部保持部材５４を用いて取付け、他の辺は、上記のような別のパネル保持部材もしくは他の手段を用いて取り付けることもある。
【図面の簡単な説明】
【００５９】
【図１】本発明を適用した自立型の間仕切り装置の一部の正面図である。
【図２】図１のII-II線拡大縦断側面図である。
【図３】同じく、III-III線拡大縦断側面図である。
【図４】同じく、IV-IV線拡大縦断側面図である。
【図５】同じく、V-V線拡大縦断側面図である。
【図６】同じく、VI-VI線拡大横断平面図である。
【図７】同じく、VII-VII線拡大横断平面図である。
【符号の説明】
【００６０】
１    支柱(縦フレーム)
２    下部横フレーム
３    中間横フレーム
４    上部横フレーム
５    パネル
６    ガラスパネル
７    レベル調整装置
８    アンカーボルト
９    ベース部材
１０  支持金具
１１  通孔
１２  雌ねじ筒
１２a 鍔部
１３  調整ねじ
１３a 拡径頭部
１４  水平片
１５  凹部
１６  通孔
１７  突片
１８  隙間
１９  パネル保持溝
２０  パネル下部保持部材
２０a 上向片
２０b  パネル押さえ
２１  凸条
２２  凹条
２３  パネル上部保持部材
２３a 下向片
２３b パネル押さえ
２４  凸条
２５  凹条
２６  パネル下部保持部材
２７  保持部本体
２７a 基片
２７b 起立片
２７c 後向保持片
２８  差込み部材
２８a 保持部
２８b 係合足片
２９  パネル押さえ
３０  差込み溝
３１  スリット孔
３２  係合部
３３  パネル保持部
３３a 下向片
３３b 前向水平片
３３c 後向水平片
３３d 起立片
３３e 上片
３４  ねじ
３５  連結部材
３６  フレームカバー
３６a 下向片
３７  皿ねじ
３８  係止凸条
３９  係止凸条
４０  係合凹条
４１  凹部
４２  皿ねじ
４３  パネル保持溝
４４  保持部本体
４４a 後向片
４４b 垂下片
４５  パネル上部保持部材
４６  差込み溝
４７  パネル保持溝
４８  パネル側部保持部材
４９  保持部本体
４９a 基部
４９b 嵌合片
４９c 保持片
４９d 前向片
４９e 嵌合片
５０  差込み部材
５０a 係合部
５０b 係合足片
５０c 後向片
５１  差込み溝
５２  スリット孔
５３  係合部
５４  パネル側部保持部材(パネル保持部材)
５５  保持部本体
５５a 基部
５５b 保持片
５５c 弾性係止片
５５d 側片
５６  差込み部材
５６a 保持片
５６b 係合片
５７  パネル押さえ
５８  係合溝
５９  係止凸条
６０  被係止凸条
６１  凹入段部
６２  開口縁部
Ｆ    床面
Ｐ    間仕切り装置
【図１】
2009052239.tif 000003
【図２】
2009052239.tif 000004
【図３】
2009052239.tif 000005
【図４】
2009052239.tif 000006
【図５】
2009052239.tif 000007
【図６】
2009052239.tif 000008
【図７】
2009052239.tif 000009